(57)【要約】【課題】構造が比較的複雑で、コストが高いという問題点を解決する。【解決手段】ボディ（１−１）、ケース（１−２）、ベース（１−３）から構成され、ケース（１−２）には、空間（１−２６）、弁座Ａ（１−２１）、弁座Ｂ（１−２２）、弁座Ａ通路（１−２３）、弁座Ｂ通路（１−２４）、流出口（１−２５）、弁座Ａ通路（１−２３）と貫通する流入口（１−２７）があり、ベース（１−３）には、弁座Ｃ（１−３１）と大気口（１−３２）があり、弁座Ａ（１−２１）と弁座Ｂ（１−２２）が同じ方向でボディ（１−１）に向けて設けられ、弁座Ｃ（１−３１）がボディ（１−１）の裏側に設けられ、バルブＡ（１−４）が弁座Ａ（１−２１）とボディ（１−１）とで構成され、バルブＢ（１−５）が弁座Ｂ（１−２２）とボディ（１−１）とで構成され、バルブＣ（１−６）が弁座Ｃ（１−３１）とボディ（１−１）とで構成される。【選択図】図１
2019536944.tif 000002
【特許請求の範囲】
【請求項１】
ボディ（１−１）、ケース（１−２）、ベース（１−３）から構成され、
該ケース（１−２）には、空間（１−２６）、弁座Ａ（１−２１）、弁座Ｂ（１−２２）、弁座Ａ通路（１−２３）、弁座Ｂ通路（１−２４）、流出口（１−２５）、該弁座Ａ通路（１−２３）と貫通する流入口（１−２７）があり、
該ベース（１−３）には、弁座Ｃ（１−３１）と大気口（１−３２）があり、
該弁座Ａ（１−２１）と該弁座Ｂ（１−２２）が同じ方向で該ボディ（１−１）に向けて設けられ、該弁座Ｃ（１−３１）が該ボディ（１−１）の裏側に設けられ、
バルブＡ（１−４）が該弁座Ａ（１−２１）と該ボディ（１−１）とで構成され、バルブＢ（１−５）が該弁座Ｂ（１−２２）と該ボディ（１−１）とで構成され、バルブＣ（１−６）が該弁座Ｃ（１−３１）と該ボディ（１−１）とで構成されることを特徴とする水路切替器。
【請求項２】
該弁座Ｂ（１−２２）のエンドと該ボディ（１−１）との距離が該弁座Ａ（１−２１）のエンドと該ボディ（１−１）との距離より小さいことを特徴とする請求項１記載の水路切替器。
【請求項３】
該ボディ（１−１）が弾性的なものであることを特徴とする請求項２記載の水路切替器。
【請求項４】
該弁座Ｂ（１−２２）が該弁座Ａ（１−２１）の中に嵌め設けられることを特徴とする請求項２記載の水路切替器。
【請求項５】
該弁座Ｂ（１−２２）が該弁座Ａ（１−２１）の隣に設けられることを特徴とする請求項２記載の水路切替器。
【請求項６】
請求項１から５のいずれかに記載の水路切替器を有する液体洗剤投入装置で、
主通路（２）、アマチュア（６）、バルブＤ（３）、バルブＥ（５）、洗剤ボックスＡ（４）とベンチュリ負圧発生器（７）から構成され、
該主通路（２）の入口が給水弁（８）に繋がり、該ベンチュリ負圧発生器（７）の出口（７−１）が筒体の給水口に連通され、該水路切替器が該ベンチュリ負圧発生器（７）の入口（７−２）と該主通路（２）の出口の間に設けられ、該水路切替器の流入口（１−２７）が該主通路（２）の出口に繋がり、該水路切替器の流出口（１−２５）が該ベンチュリ負圧発生器（７）の入口に繋がり、
該水路切替器の弁座Ｂ通路（１−２４）が該バルブＤ（３）の出口に連通され、該バルブＤ（３）の出口が該アマチュア（６）の入口と連通され、該バルブＤ（３）の入口が該洗剤ボックスＡ（４）に繋がり、該アマチュア（６）の出口が該バルブＥ（５）の入口と連通され、該バルブＥ（５）の出口が該ベンチュリ負圧発生器（７）の負圧口（７−３）と連通されることを特徴とする。
【請求項７】
該バルブＤ（３）の出口と該アマチュア（６）の入口の間に三方弁（１１）とバルブＦ（１２）があり、その三方弁（１１）の出口（１１−１）が該バルブＦ（１２）の入口と連通され、該バルブＦ（１２）の出口が該アマチュア（６）の入口に連通され、該三方弁（１１）の入口１（１１−２）が該バルブＤ（３）の出口と連通され、該三方弁（１１）の入口２（１１−３）が該洗剤ボックスＢ（９）と連通されることを特徴とする請求項６記載の液体洗剤投入装置。
【発明の詳細な説明】
【技術分野】
【０００１】
本発明の液体洗剤の投入装置は、洗濯機の液体洗剤投入装置に係るものである。
【背景技術】
【０００２】
生活リズムの加速と消費者の省エネ意識の向上に伴って、ユーザは家電電器を選択する時に、省エネと便宜性などの機能特徴を重視してきた。洗濯機が家庭での使用頻度の高い家電電器として、省エネと便宜性はユーザが洗濯機を選択する時の重要要因になっている。洗剤自動投入機能のある洗濯機は、これによって人気になってきた。目前、市場での普通の洗剤投入は、多くは手動で、投入量のバラツキが多くて、把握しにくい。量不足の場合は、洗濯の効果が悪くて、洗浄率が低い。量が大きな場合は、洗剤の無駄になるし、水道と電気と時間なども無駄になり、洗濯物間の磨耗に至って、一回の洗濯のコストをアップさせる。これによって、洗濯機メーカは、それぞれに洗剤自動投入機能のある洗濯機を開発してきた。
【０００３】
目前、洗濯機の洗剤自動投入装置の設計構想は、一般的には、次の２つです。一つは配管と洗剤投入回路のレイアウトで、給水される水が流れる時に、洗剤の投入配管にベンチュリ負圧が起こって、その負圧で洗剤を投入回路に吸い込ませることです。２番目は各種の液体ポンプで洗剤を抜き出して洗剤の投入を実現させることです。上記の構想で設計した洗剤自動投入装置は、投入する洗剤が精確に計りにくい。温度によって洗剤の粘度の差異が大きいから。環境温度が低い場合は、洗剤の粘度が大きくなり、自動投入装置を稼動するモータは負荷が大きくなるため、回転スピードが遅くなって、添加の量が少なくなる。逆に、環境温度が高いなら、洗剤の粘度が小さくなり、自動投入装置を稼動するモータは負荷が小さくなるため、回転スピードが速くなって、添加の量が多くなる。だから、洗剤投入量の測りは精確に出来なくなる。
【０００４】
中国ＣＮ１０１３８１９３９Ｂでは、筒体、コントロールパネル、洗濯物の重量センサ、温度センサ、水質の硬度センサ、洗濯水の汚れセンサ、洗剤ボックス及び電子回路などから構成され、該洗剤ボックスが上の保管ボックスと下の希釈ボックスから構成させ、電子回路が各種のセンサの結果によって、保管ボックスから希釈ボックスに投入する洗剤の量をコントロールする技術が公開されている。しかし、この技術は、構成が複雑で、コストが高い。
【０００５】
中国ＣＮ１０２６０５５８９Ｂでは、洗剤自動投入装置と洗剤保管ボックスから構成される洗剤濃度によって自動投入する技術が公開されている。その中に、定量溶解空間があり、その上に給水配管が設けられ、該給水配管に給水弁が取り付けられ、該給水弁が洗濯機のコントローラーに繋がり、洗剤自動投入装置が該洗剤保管空間と洗濯機のコントローラーに繋がり、該定量溶解空間の上に溢れ口があり、その上にピンが設けられ、ピンが洗濯機のコントローラーに繋がり、溢れ口が配管で筒体に繋がれる。定量溶解空間の底に出水弁があり、該出水弁が筒体と洗濯機のコントローラーと繋がる。この技術は、洗濯の状況によって洗剤の投入量を弾力的に管理できなく、精度も高くないし、構成が複雑なので、改善することが好ましい。
【０００６】
中国ＣＮ１０３１２２５６９Ａでは、マイクロプロセッサーと給水回路から構成され、給水回路が、給水弁、定容ボックスおよび洗剤ボックスから構成され、洗剤ボックスの出口が洗濯機の筒体に繋がり、給水弁がマイクロプロセッサーと繋がり、定容ボックスの入口配管に洗剤を投入する運送装置が設けられ、該運送装置が洗剤を保管するタンクに繋がる洗濯機用の洗剤自動投入装置が公開されている。該技術は、運送装置を動かして洗剤を定容ボックスに投入してから、運送装置を閉め給水弁を開けて、洗剤を洗浄ボックスに流させること。このような作業が複雑で、時間の遅れがあるし、運送装置を数回に動かして洗剤を所定量で投入するようにするので、効率は悪い。
【０００７】
中国ＣＮ２０３８３４２２３Ｕの洗剤投入器は、その主通路の一端が給水の入口で、もう一端が筒体の給液口に繋がる出口で、該洗剤投入器は、弁Ａ、弁Ｂ、弁Ｃ、弁Ｄ、ポンプとノズルがあり、弁Ａの入口が主通路の側通口Ａと連通され、弁Ｂの入口が洗剤保管ボックスＡに連通され、弁Ａと弁Ｂの出口が弁Ｃの入口と連通され、弁Ｄの入口が洗剤ボックスＢに連通され、弁Ｃと弁Ｄの出口がポンプの入口と連通され、ポンプの出口が主通路の側通口Ｂと連通され、主通路の側通口Ａが主通路の入口の近くに設けられ、側通口Ｂが主通路の出口の近くに設けられ、ノズルが側通口Ａと側通口Ｂの間に設けられ、主通路に繋がる。該投入器は、電磁弁で洗剤の投入をコントロールするので、電磁弁関連の回路がこれによって多くなる。
【先行技術文献】
【特許文献】
【０００８】
【特許文献１】中国特許公告第ＣＮ１０１３８１９３９Ｂ号公報
【特許文献２】中国特許公告第ＣＮ１０２６０５５８９Ｂ号公報
【特許文献３】中国特許公開第ＣＮ１０３１２２５６９Ａ号公報
【特許文献４】中国実用新案登録第ＣＮ２０３８３４２２３Ｕ号公報
【発明の概要】
【発明が解決しようとする課題】
【０００９】
本発明は、従来の技術の有するこのような問題点を鑑みてなされたものであり、その目的とするところは、従来の洗濯機に搭載される洗剤自動投入装置において、構造が比較的複雑で、コストが高いという問題点を解決できる液体洗剤投入装置を提供しようとするものである。また、本発明の水路切替と洗剤投入装置は、構造が簡単で、コストが安いものである。
【課題を解決するための手段】
【００１０】
上記目的を達成するために、本発明が採用する技術は、第１案の水路切替器と第２案の水路切替器付きの洗剤投入装置である。
【００１１】
本発明の第１案水路切替器は、構成（ハードウェア）的には、ボディ、ケース、ベースから構成され、
該ケースには、空間、弁座Ａ、弁座Ｂ、弁座Ａ通路、弁座Ｂ通路、流出口、該弁座Ａ通路と貫通する流入口があり、
該ベースには、弁座Ｃと大気口があり、該弁座Ａと該弁座Ｂが同じ方向で該ボディに向けて設けられ、該弁座Ｃが該ボディの裏側に設けられ、
バルブＡが該弁座Ａと該ボディとで構成され、バルブＢが該弁座Ｂと該ボディとで構成され、バルブＣが該弁座Ｃと該ボディとで構成されることを特徴とする。
【００１２】
本発明の水路切替器は、
ａ．該弁座Ｂのエンドと該ボディとの距離が該弁座Ａのエンドと該ボディとの距離より小さい。
ｂ．該ボディが弾性的なものである。
ｃ．該弁座Ｂが該弁座Ａの中に嵌め設けられる。
ｄ．該弁座Ｂが該弁座Ａの隣に設けられる。
【００１３】
本発明の該水路切替器付けの液体洗剤投入装置は、構成（ハードウェア）的には、
主通路、アマチュア、バルブＤ、バルブＥ、洗剤ボックスＡとベンチュリ負圧発生器から構成され、
該主通路入口が給水弁に繋がり、該ベンチュリ負圧発生器の出口が筒体の給水口に連通され、該水路切替器が該ベンチュリ負圧発生器の入口と主通路の出口の間に設けられ、該水路切替器の流入口が該主通路の出口に繋がり、該水路切替器の流出口が該ベンチュリ負圧発生器の入口に繋がり、
該水路切替器の弁座Ｂ通路が該バルブＤの出口に連通され、該バルブＤの出口が該アマチュア入口と連通され、該バルブＤの入口が該洗剤ボックスＡに繋がり、該アマチュアの出口が該バルブＥの入口と連通され、該バルブＥの出口が該ベンチュリ負圧発生器の負圧口と連通される。
【００１４】
本発明の最適化例は、該バルブＤの出口と該アマチュアの入口の間に三方弁とバルブＦがあり、その三方弁の出口が該バルブＦの入口と連通され、該バルブＦの出口が該アマチュアの入口に連通され、該三方弁の入口１が該バルブＤの出口と連通され、該三方弁（１１）の入口２（１１−３）が該洗剤ボックスＢ（９）と連通される。
【００１５】
本発明は、電気制御のない機械型のバルブで元の電磁切替弁（構成が複雑でコストが高く電気制御必要）を代えることで、制御が簡単になってコストが安くなる目的を実現させる。現行の洗剤投入装置は、水道に負圧が出る場合は、洗剤は給水配管に吸い込まれることですが、バルブでこれを防ぐことができるが、バルブが失効になるリスクが高い、一旦失効になると、洗剤は給水配管に吸い込まれる可能性がある。本発明のバルブＤは、洗剤の吸い込みを防ぐことができる。バルブＦ付けの本発明は、バルブＤが失効になると、バルブＥが洗剤の吸い込まれることを防ぎ、バルブＦで空気を補充し水路切替器内の真空を壊して、これで洗剤が水道に吸い込まれることを避ける。
【００１６】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００１７】
下記付図と具体的実施例を用いて、本発明を詳細に説明する。
【図面の簡単な説明】
【００１８】
【図１】図１は本発明の液体洗剤投入装置の構成原理図。
【図２】図２は本発明の他の液体洗剤投入装置の構成原理図。
【図３】図３は本発明の液体洗剤投入装置の外形図。
【図４】図４は本発明の水路切替器の外形図。
【図５】図５は図４のＡ方向視点の水路切替器の見下ろし図。
【図６】図６は図５のＨ−Ｈ断面図で、即ち本発明の水路切替器のＨ−Ｈ断面図。
【図７】図７は図５Ｇ−Ｇ断面図、即ち本発明の水路切替器のＧ−Ｇ断面図。
【図８】図８は図５のＨ−Ｈ断面図で、即ち本発明の他の水路切替器のＨ−Ｈ断面図。
【図９】図９は図５のＧ−Ｇ断面図、即ち本発明の他の水路切替器のＧ−Ｇ断面図。
【発明を実施するための形態】
【００１９】
実施例１
【００２０】
該実施例１の水路切替器はボディ（１−１）、ケース（１−２）、ベース（１−３）から構成され、該ケース（１−２）には、空間（１−２６）、弁座Ａ（１−２１）、弁座Ｂ（１−２２）、弁座Ａ通路（１−２３）、弁座Ｂ通路（１−２４）、流出口（１−２５）、該弁座Ａ（１−２１）通路と貫通される流入口（１−２７）があり、該ベース（１−３）には、弁座Ｃ（１−３１）と大気口（１−３２）があり、該弁座Ａ（１−２１）と該弁座Ｂ（１−２２）が同じ方向で該ボディ（１−１）に向けて設けられ、該弁座Ｃ（１−３１）が該ボディ（１−１）の裏側に設けられ、バルブＡ（１−４）が該弁座Ａ（１−２１）と該のボディ（１−１）とで構成され、バルブＢ（１−５）が該弁座Ｂ（１−２２）と該のボディ（１−１）とで構成され、バルブＣ（１−６）が該弁座Ｃ（１−３１）と該ボディ（１−１）とで構成される。
【００２１】
該バルブＡ（１−４）、該バルブＢ（１−５）と該バルブＣ（１−６）が電磁型でない機械型のバルブで、該弁座Ｂ（１−２２）のエンドと該ボディ（１−１）との距離が該弁座Ａ（１−２１）のエンドと該ボディ（１−１）との距離より小さく、即ち該弁座Ｂ（１−２２）が該弁座Ａ（１−２１）よりちょっと高い（Ｈ）；該ボディ（１−１）が弾性的なものである。該弁座Ｂ（１−２２）を該弁座Ａ（１−２１）の中に嵌め設けられる（図７）ことが出来るし、該弁座Ｂ（１−２２）を該弁座Ａ（１−２１）の隣に設けることもできる（図９）。
【００２２】
実施例２
【００２３】
実施例１の水路切替器を有する液体洗剤投入装置で、図１のように、主通路（２）、アマチュア（６）、バルブＤ（３）、バルブＥ（５）、洗剤ボックスＡ（４）およびベンチュリ負圧発生器（７）から構成され、該主通路入口が給水弁（８）に繋がり、該ベンチュリ負圧発生器（７）の出口（７−１）が筒体の給水口に連通され、該水路切替器が該ベンチュリ負圧発生器（７）の入口（７−２）と主通路の出口の間に設けられるが、該水路切替器の流入口（１−２７）が該主通路の出口に繋がり、該水路切替器の流出口（１−２５）が該ベンチュリ負圧発生器（７）の入口に繋がり、該水路切替器の弁座Ｂ通路（１−２４）が該バルブＤ（３）の出口に連通され、該バルブＤ（３）の出口が該アマチュア（６）の入口と連通され、その入口が該洗剤ボックスＡ（４）に繋がり、該アマチュア（６）の出口が該バルブＥ（５）の入口と連通され、該バルブＥ（５）の出口が該ベンチュリ負圧発生器（７）の負圧口（７−３）と連通される。該バルブＤ（３）と該バルブＥ（５）は非電磁型で、機械型のバルブである。
【００２４】
該発明の操作に関わるのは、
１  洗剤Ａの投入：モータがアマチュア６を連れて左へ移動する時、シリンダーにある圧力が減って、バルブＤ（３）が開き、バルブＥ（５）が閉まる。バルブＢの通路（１−２４）がバルブＤ（３）の出口と連通されるので、ボディ（１−１）の裏側が弁座Ｃ（１−３１）に向き、弁座Ｃの通路が大気通口（１−３２）と貫通される。図７と図９のように、大気の作用で、ボディは弁座Ｂに向かって押されるので、バルブＢ（１−５）が閉まって、洗剤ボックスＡ（４）の洗剤Ａは配管（１０）に吸い込まれる。逆に、モータがアマチュア６を連れて右へ移動する時、シリンダーにある圧力が増えて、バルブＤ（３）が閉まり、バルブＥ（５）が開き、配管（１０）に吸い込まれた洗剤をバルブＥ（５）で流させて、ベンチュリ負圧発生器（７）の負圧口（７−３）経由で流入され、ベンチュリ負圧発生器（７）の出口（７−１）から出る。これらを繰り返したら、洗剤ボックスＡの洗剤を抜き出すことができる。
【００２５】
２  フラッシュ：給水弁（８）が開く時、水は主通路（２）、水路切替器（１）とベンチュリ負圧発生器（７）から出る。水が水路切替器のバルブＡ（１−４）を経る時、バルブＢ（１−５）が開き、水はバルブＢから配管（１０）に入る。その同時、水がベンチュリ負圧発生器（７）の入口（７−２）とその出口（７−１）へ入る時、ベンチュリ効果のため、ベンチュリ負圧発生器（７）の負圧口（７−３）の圧力が給水弁（８）の出口の圧力より小さい。このため、配管（１０）に入った水は、シリンダー、バルブＥ（５）、ベンチュリ負圧発生器（７）の負圧口（７−３）へ流れ、ほかの水と合流してから流出て、洗剤を綺麗に洗い流す。
【００２６】
弁座Ｂが弁座ＡよりＨ距離高いので、洗剤投入の過程に起こる大気が配管に吸い込まれることはバルブＢで有効に防止される。このために、バルブＢの閉めは優先にすること。バブルＡが閉まらなくても、この機能へ影響しない。
【００２７】
ボディが弾性的なものでない場合は、バルブＡを閉めてはいけない。ボディが弾性的ものである場合、バブルＡは閉めてもいい。流入口（１−２７）が負圧になる時、負圧が中に伝えられないというメリットがあるから。
【００２８】
実施例３
【００２９】
実施例１の水路切替器を有する液体洗剤投入装置で、図２のように、実施例２との区別については、該バルブＤ（３）の出口と該アマチュア（６）の入口の間に三方弁（１１）とバルブＦ（１２）があり、その三方弁（１１）の出口（１１−１）が該バルブＦ（１２）の入口と連通され、該バルブＦ（１２）の出口が該アマチュア（６）の入口に連通され、該三方弁（１１）の入口１（１１−２）が該バルブＤ（３）の出口と連通され、該三方弁（１１）の入口２（１１−３）が該洗剤ボックスＢ（９）と連通される。
【００３０】
該発明の操作に関わるのは、
１  洗剤Ａの投入：三方弁（１１）が通電され、その出口（１１−１）が入口１（１１−２）と連通されるが、入口２（１１−３）と連通されない。モータがアマチュア６を連れて左へ移動する時、シリンダーにある圧力が減って、バルブＤ（３）とバルブＦ（１２）が開き、バルブＥ（５）とバルブＢ（１−５）が閉まり、洗剤ボックスＡ（４）の洗剤Ａは配管（１０）に吸い込まれる。逆に、モータがアマチュア６を連れて右へ移動する時、シリンダーにある圧力が増えて、バルブＦ（１２）が閉まり、バルブＥ（５）が開き、配管（１０）に吸い込まれた洗剤ＡをバルブＥ（５）で流させて、ベンチュリ負圧発生器（７）の負圧口（７−３）経由で流入され、ベンチュリ負圧発生器（７）の出口（７−１）から出る。これらを繰り返したら、洗剤ボックスＡの洗剤Ａを抜き出すことができる。
【００３１】
２  洗剤Ｂの投入：三方弁（１１）が通電されない、その出口（１１−１）が入口２（１１−３）と連通されるが、入口１（１１−２）と連通されない。モータがアマチュア６を連れて左へ移動する時、シリンダーにある圧力が減って、とバルブＦ（１２）が開き、バルブＥ（５）が閉まり、洗剤ボックスＢ（９）の洗剤Ｂは配管（１０）に吸い込まれる。逆に、モータがアマチュア６を連れて右へ移動する時、シリンダーにある圧力が増えて、バルブＦ（１２）が閉まり、バルブＥ（５）が開き、配管（１０）に吸い込まれた洗剤ＢをバルブＥ（５）で流させて、ベンチュリ負圧発生器（７）の負圧口（７−３）経由で流入され、ベンチュリ負圧発生器（７）の出口（７−１）から出る。これらを繰り返したら、洗剤ボックスＢの洗剤Ｂを抜き出すことができる。
【００３２】
３  フラッシュ：三方弁（１１）が通電され、その出口（１１−１）が入口１（１１−２）と連通されるが、入口２（１１−３）と連通されない。給水弁（８）が開く時、水は主通路（２）、水路切替器（１）とベンチュリ負圧発生器（７）から出る。水が水路切替器のバルブＡ（１−４）を経る時、バルブＢ（１−５）が開き、水はバルブＢから配管（１０）に入る。その同時、水がベンチュリ負圧発生器（７）の入口（７−２）とその出口（７−１）へ入る時、ベンチュリ効果のため、ベンチュリ負圧発生器（７）の負圧口（７−３）の圧力が給水弁（８）の出口の圧力より小さい。このため、配管（１０）に入った水は、三方弁（１１）、バルブＦ（１２）、シリンダー、バルブＥ（５）、ベンチュリ負圧発生器（７）の負圧口（７−３）へ流れ、ほかの水と合流してから流出て、洗剤を綺麗に洗い流す。
【符号の説明】
【００３３】
１  水路切替器、１−１  ボディ、１−２  ケース、１−２１  弁座Ａ、１−２２  弁座Ｂ、１−２３  弁座Ａ通路、１−２４  弁座Ｂ通路、１−２５  流出口、１−２６  空間、１−２７  流入口、１−３  ベース、１−３１  弁座Ｃ、１−３２  大気通口、１−４  バルブＡ、１−５  バルブＢ、１−６  バルブＣ、２  主通路、３  バルブＤ、４  洗剤ボックスＡ、５  バルブＥ、６  アマチュア、７  ベンチュリ負圧発生器、７−１  出口、７−２  入口、７−３  負圧口、８  給水弁、９  洗剤ボックスＢ、１０  配管、１１  三方弁、１１−１  出口、１１−２  入口１、１１−３  入口２、１２  バルブＦ
【図１】
2019536944.tif 000003
【図２】
2019536944.tif 000004
【図３】
2019536944.tif 000005
【図４】
2019536944.tif 000006
【図５】
2019536944.tif 000007
【図６】
2019536944.tif 000008
【図７】
2019536944.tif 000009
【図８】
2019536944.tif 000010
【図９】
2019536944.tif 000011
【国際調査報告】
2019536944.tif 000012
2019536944.tif 000013
2019536944.tif 000014
2019536944.tif 000015